(57)【要約】【課題】本発明は、従来のマウスに、多種情報解析機能を付加することで、情報収集及び編集処理などの一元化を図り作業効率を向上させることを可能とする多種情報解析機能を有するマウスを提供することを目的としている。【解決手段】このため、制御装置へのマウス操作情報の入力手段として使用される一方、制御装置へ情報の入出力制御などを行う制御部と、発光部と、受光部と、この受光部において受光した信号からユーザのマウス操作情報を解析するマウス操作情報解析部とを備えたマウスにおいて、このマウスは、前記受光部において受光した信号からユーザのマウス操作以外のバーコード、２次元バーコード、文字情報など多種の情報を解析する多種情報解析部を有することを特徴とする。【選択図】図１
2018136601.tif 000002
【特許請求の範囲】
【請求項１】
制御装置へのマウス操作情報の入力手段として使用される一方、制御装置へ情報の入出力制御などを行う制御部と、発光部と、受光部と、この受光部において受光した信号からユーザのマウス操作情報を解析するマウス操作情報解析部と、を備えたマウスにおいて、このマウスは、前記受光部において受光した信号からユーザのマウス操作以外のバーコード、２次元バーコード、文字情報など多種の情報を解析する多種情報解析部を有することを特徴とする多種情報解析機能を有するマウス。
【請求項２】
前記マウスは、前記受光部において受光した信号や、制御装置から送信された情報を蓄積するデータ蓄積部を備えていることを特徴とする請求項１に記載の多種情報解析機能を有するマウス。
【発明の詳細な説明】
【技術分野】
【０００１】
この発明はマウスに係り、特にマウス操作情報及びマウス操作情報以外の情報を解析する多種情報解析機能を有するマウスに関するものである。
【背景技術】
【０００２】
現在のマウスはマウス操作情報を解析し、制御装置（例えば、パーソナルコンピュータ）に入力する単純なものである。
【先行技術文献】
【特許文献】
【０００３】
【特許文献１】特開２００９−３２２６５号公報
【発明の概要】
【発明が解決しようとする課題】
【０００４】
ところで、近年、制御装置の高機能化に伴い、情報をデジタル化し、管理することが多くなっているが、デジタル化されていない情報をデジタル化するためには専用の装置を使用することが必要であった。
マウスは制御装置への入力手段として、最も利用される端末の一つであるが、上述の通り、その機能は制御装置にマウス操作情報を入力する単機能なものである。
このため、従来のマウスに、バーコードリーダ機能などの機能を付加することで、情報収集及び編集処理等の一元化を図り作業効率を向上させることが望まれていた。
【０００５】
この発明は、従来のマウスに、多種情報解析機能を付加することで、情報収集及び編集処理などの一元化を図り作業効率を向上させることを可能とする多種情報解析機能を有するマウスを提供することを目的としている。
【課題を解決するための手段】
【０００６】
そこで、この発明は、上述不都合を除去するために、制御装置へのマウス操作情報の入力手段として使用される一方、制御装置へ情報の入出力制御などを行う制御部と、発光部と、受光部と、この受光部において受光した信号からユーザのマウス操作情報を解析するマウス操作情報解析部とを備えたマウスにおいて、このマウスは、前記受光部において受光した信号からユーザのマウス操作以外のバーコード、２次元バーコード、文字情報など多種の情報を解析する多種情報解析部を有することを特徴とする。
【発明の効果】
【０００７】
この発明によれば、多種情報解析部を設けることにより、バーコードリーダ、２次元バーコードリーダ、ＯＣＲスキャナの機能を一元化することで、各種情報収集など、編集、処理をスピードアップさせることが可能となる。
【図面の簡単な説明】
【０００８】
【図１】図１は多種情報解析機能を有するマウスを説明するためのブロック図である。（実施例１）
【図２】図２は多種情報解析機能を有するマウスの概略斜視図である。（実施例１）
【図３】図３は多種情報解析機能を有するマウスの動作を説明するためのフローチャートである。（実施例１）
【図４】図４は多種情報解析機能を有するマウスを説明するためのブロック図である。（実施例２）
【図５】図５は多種情報解析機能を有するマウスの概略斜視図である。（実施例２）
【発明を実施するための形態】
【０００９】
以下、図面に基づいてこの発明の実施例を詳細に説明する。
【実施例１】
【００１０】
図１〜図３はこの発明の実施例１を示すものである。
図１において、１は多種情報解析機能を有するマウスである。
前記マウス１は、制御装置２（所謂、パーソナルコンピュータやタブレット端末）に接続される。
前記マウス１は、制御部３と発光部４と受光部５と左スイッチ６と右スイッチ７とホイール８とホイールスイッチ９とスキャンスイッチ１０とマウス操作情報解析部１１と多種情報解析部１２と通信部１３とによって構成される。
【００１１】
制御部３は、前記制御装置２と情報の入出力制御などを行う。
発光部４は、制御部３からの信号を受信し発光する。
受光部５は、発光部４から信号を受光し、制御部３に送信する。
左スイッチ６は、主にマウス操作の左クリックとして使用される。
右スイッチ７は、主にマウス操作の右クリックとして使用される。
ホイール８は、主にマウス操作のスクロールとして使用される。
ホイールスイッチ９は、主にマウス操作のホイールクリックとして使用される。
スキャンスイッチ１０は、マウス操作情報として解析するかマウス操作情報以外の情報として解析するかの切り替えを行う。
マウス操作情報解析部１１は、制御部３を介して受光部５、左スイッチ６、右スイッチ７、ホイール８、ホイールスイッチ９、スキャンスイッチ１０から送られる信号をマウス操作情報として解析する。
多種情報解析部１２は、制御部３を介して受光部５、左スイッチ６、右スイッチ７、ホイール８、ホイールスイッチ９、スキャンスイッチ１０から送られる信号をマウス操作情報以外の情報として解析する。
通信部１３は、内部に通信モジュールを搭載し、前記マウス１が制御装置２と有線接続されていない場合において無線にて情報の受送信を行う。
【００１２】
前記多種情報解析部１２は、多種情報解析部１２で解析する情報を判断する判断部１４と、バーコード情報を解析するバーコード情報解析部１５と、その他の情報を解析するその他情報解析部１６とを内部に有する。
バーコード情報解析部１５は、マイクロコンピュータ（マイコン）によって構成されており、内部にバーコード情報を解析するためのプログラムを搭載する。
その他情報解析部１６は、図２に示す如く、任意のプログラムを組み込み、その演算処理が可能なＩＣ（Ｉｎｔｅｇｒａｔｅｄ  Ｃｉｒｃｕｉｔ：集積回路）を搭載したカード１７と、カード１７を前記マウス１に挿入するカード挿入部１８によって構成される。
カード１７の内部には特定の情報を解析するためのプログラムを搭載する。
判断部１４は、例えば、図２に示す如く、カード挿入部１８に接着された部材によって構成されており、カード１７が挿入されているか否かの検出を行う。
【００１３】
次に、図３の多種情報解析機能を有するマウス１の動作用フローチャートに沿って作用を説明する。
【００１４】
前記マウス１の制御用プログラムが開始（１０１）されると、スキャンスイッチ１０が押されているか否かの判断（１０２）に移行する。
判断（１０２）では、制御部３がスキャンスイッチ１０が押されているか否かを判断する。
判断（１０２）がＹＥＳ、つまりスキャンスイッチ１０が押されている信号を制御部３が受信した場合には、マウス１にカード１７が挿入されているか否かの判断（１０３）に移行する。
判断（１０２）がＮＯ、つまりスキャンスイッチ１０が押されていない場合には、制御部３は受光部５及び各種スイッチ（左スイッチ６、右スイッチ７、ホイール８及びホイールスイッチ９）から受信した信号をマウス操作情報解析部１１に送信し、マウス操作情報解析処理（１０４）に移行する。
判断（１０３）では、判断部１４はマウス１にカード１７が挿入されているか否かを判断する。
判断（１０３）がＹＥＳ、つまりカード１７が挿入されている場合には、制御部３は受光部５及び各種スイッチ（左スイッチ６、右スイッチ７、ホイール８及びホイールスイッチ９）から受信した信号をその他情報解析部１６に送信し、その他情報解析処理（１０５）に移行する。
判断（１０３）がＮＯ、つまりカード１７が挿入されていない場合には、制御部３は受光部５及び各種スイッチ（左スイッチ６、右スイッチ７、ホイール８及びホイールスイッチ９）から受信した信号をバーコード情報解析部１５に送信し、バーコード情報解析処理（１０６）に移行する。
その他情報解析処理（１０５）では、カード１７内に組み込まれているプログラムに応じて、解析を行い、解析情報を制御部３に返す。
たとえば、カード１７が２次元バーコード（「ＱＲコード（登録商標）」とも言う。）を解析するためのプログラムを搭載していた場合には、２次元バーコード情報として解析を行い、制御部３に値を返す。
或いは、カード１７が内部にバーコードを解析するためのプログラムと解析したバーコードを属性（企業名など）に変換するプログラムを搭載していた場合には、バーコード情報の解析を行った後、リンクした属性（企業名など）に変換し、制御部３に値を返す。
また、或いは、カード１７が、文字情報解析するためのプログラム（ＯＣＲプログラム）を搭載していた場合には、文字情報として解析を行い、制御部３に値を返す。
また、或いは、カード１７が、画像を解析するためのプログラムを搭載していた場合には、画像情報として解析を行い、制御部３に値を返す。
その後、情報送信処理（１０７）に移行する。
情報送信処理（１０７）では、制御部３はマウス操作情報解析部１１又は多種情報解析部１２から送信された解析情報を制御装置２に送信する。
或いは、このマウス１が制御装置２と有線接続されていない場合には、通信部１３に解析情報を送信し、通信部１３において解析情報を制御装置２に送信し、後述するマウス１の制御用プログラムの終了（１０８）に移行する。
マウス操作情報解析処理（１０４）では、マウス操作情報解析部１１はマウス操作情報の解析を行い、解析情報を制御部３に返し、情報送信処理（１０７）に移行する。
バーコード情報解析処理（１０６）では、バーコード情報解析部１５はバーコード情報の解析を行い、解析情報を制御部３に返し、情報送信処理（１０７）に移行する。
マウス１の制御用プログラムの終了（１０８）では、マウス１の制御用プログラムを終了し、マウス１の制御用プログラムの開始（１０１）に戻る。
【００１５】
これにより、制御装置２へのマウス操作情報の入力手段として使用される一方、制御装置２へ情報の入出力制御などを行う制御部３と、発光部４と、受光部５と、この受光部５において受光したデータからユーザのマウス操作情報を解析するマウス操作情報解析部１１と、を備えたマウス１において、このマウス１は、前記受光部５において受光した信号からユーザのマウス操作以外のバーコード、２次元バーコード、文字情報など多種の情報を解析する多種情報解析部１２を有する。
従って、多種情報解析部１２を設けることにより、バーコードリーダ、２次元バーコードリーダ、ＯＣＲスキャナの機能を一元化することで、各種情報収集など、編集、処理をスピードアップさせることが可能となる。
また、その他情報解析部１６をカード１７及びカード挿入部１８によって構成することにより、生産しやすく、比較的安価なマウス１を提供することが可能となる。
また、マウス操作情報以外の情報の解析は、カード１７に組み込まれるプログラムに応じて解析されるため、今後出現されてくる三次元バーコード、或いは、カラー版バーコードなども読み取れることとなる。
【実施例２】
【００１６】
図４及び図５はこの発明の実施例２を示すものである。
この実施例２においては、上述実施例１のものと同一機能を果たす箇所には、同一符号を付して説明する。
【００１７】
この実施例２の特徴とするところは、多種情報解析機能を有するマウス２１はデータ蓄積部２２を備え、受光部５において受光した信号や、制御装置２から送信された情報などを格納する点にある。
【００１８】
図４において、多種情報解析機能を有するマウス２１は、制御装置２（所謂、パーソナルコンピュータやタブレット端末）に接続される。
前記マウス２１は、制御部３と発光部４を受光部５と左スイッチ６と右スイッチ７とホイール８とホイールスイッチ９とスキャンスイッチ１０とマウス操作情報解析部１１と多種情報解析部１２と通信部１３とデータ蓄積部２２とによって構成される。
【００１９】
制御部３は、前記制御装置２と情報の入出力制御などを行う。
発光部４は、制御部３からの信号を受信し発光する。
受光部５は、発光部４から信号を受光し、制御部３に送信する。
左スイッチ６は、主にマウス操作の左クリックとして使用される。
右スイッチ７は、主にマウス操作の右クリックとして使用される。
ホイール８は、主にマウス操作のスクロールとして使用される。
ホイールスイッチ９は、主にマウス操作のホイールクリックとして使用される。
スキャンスイッチ１０は、マウス操作情報として解析するかマウス操作情報以外の情報として解析するかの切り替えを行う。
マウス操作情報解析部１１は、制御部３を介して受光部５、左スイッチ６、右スイッチ７、ホイール８、ホイールスイッチ９、スキャンスイッチ１０から送られる信号をマウス操作情報として解析する。
多種情報解析部１２は、制御部３を介して受光部５、左スイッチ６、右スイッチ７、ホイール８、ホイールスイッチ９、スキャンスイッチ１０から送られる信号をマウス操作情報以外の情報として解析する。
通信部１３は、内部に通信モジュールを搭載し、前記マウス２１が制御装置２と有線接続されていない場合において無線にて情報の受送信を行う。
データ蓄積部２２は、受光部５において受光した信号や、制御装置２から送信された情報などを格納する。
【００２０】
データ蓄積部２２は、図５に示す如く、メモリカード２３と、メモリカード２３を前記マウス２１に挿入するメモリカード挿入部２４と、メモリカード挿入部２４に接着された部材によって構成された判断部２５によって構成される。
【００２１】
次に、多種情報解析機能を有するマウス２１の作用を説明する。
【００２２】
前記マウス２１の制御用プログラムが開始されると、スキャンスイッチ１０が押されているか否かの判断に移行する。
前記判断では、制御部３がスキャンスイッチ１０が押されているか否かを判断する。
判断がＹＥＳ、つまりスキャンスイッチ１０が押されている信号を制御部３が受信した場合には、マウス２１にカード１７が挿入されているか否かの判断に移行する。
判断がＮＯ、つまりスキャンスイッチ１０が押されていない場合には、制御部３は受光部５及び各種スイッチ（左スイッチ６、右スイッチ７、ホイール８及びホイールスイッチ９）から受信した信号をマウス操作情報解析部１１に送信し、マウス操作情報解析処理に移行する。
カード１７が挿入されているか否かの判断では、判断部１４はマウス２１にカード１７が挿入されているか否かを判断する。
判断がＹＥＳ、つまりカード１７が挿入されている場合には、制御部３は受光部５及び各種スイッチ（左スイッチ６、右スイッチ７、ホイール８及びホイールスイッチ９）から受信した信号をその他情報解析部１６に送信し、その他情報解析処理に移行する。
判断がＮＯ、つまりカード１７が挿入されていない場合には、制御部３は受光部５及び各種スイッチ（左スイッチ６、右スイッチ７、ホイール８及びホイールスイッチ９）から受信した信号をバーコード情報解析部１５に送信し、バーコード情報解析処理に移行する。
その他情報解析処理では、カード１７内に組み込まれているプログラムに応じて、情報の解析を行い、解析情報を制御部３に返す。
或いは、カード１７に組み込まれているプログラムに応じて、制御部３から受信した信号を、一度、データ蓄積部２２に格納し、解析を行い、解析情報を制御部３に返す。
その後、情報送信処理に移行する。
情報送信処理では、制御部３はマウス操作情報解析部１１又は多種情報解析部１２から送られた解析情報を制御装置２に送信する。
或いは、マウス２１が制御装置２と有線接続されていない場合には、通信部１３に解析情報を送信し、通信部１３において解析情報を制御装置２に送信する。
或いは、マウス２１が有線でも無線でも制御装置２に接続していない場合において、制御部３は解析情報をデータ蓄積部２２に格納する。
その後、後述するマウス２１の制御用プログラムの終了に移行する。
マウス操作情報解析処理では、マウス操作情報解析部１１はマウス操作情報の解析を行い、解析情報を制御部３に返し、情報送信処理に移行する。
バーコード情報解析処理では、バーコード情報解析部１５はバーコード情報の解析を行い、解析情報を制御部３に返し、情報送信処理に移行する。
マウス２１の制御用プログラムの終了では、マウス２１の制御用プログラムを終了し、マウス２１の制御用プログラムの開始に戻る。
【００２３】
これにより、制御装置２へのマウス操作情報の入力手段として使用される一方、制御装置２へ情報の入出力制御などを行う制御部３と、発光部４と、受光部５と、この受光部５において受光した信号からユーザのマウス操作情報を解析するマウス操作情報解析部１１と、を備えたマウス２１において、このマウス２１は、前記受光部５において受光した信号からユーザのマウス操作以外のバーコード、２次元バーコード、文字情報など多種の情報を解析する多種情報解析部１２を有する。
従って、多種情報解析部１２を設けることにより、上述実施例１と同様に、バーコードリーダ、２次元バーコードリーダ、ＯＣＲスキャナの機能を一元化することで、各種情報収集など、編集、処理をスピードアップさせることが可能となる。
また、前記マウス２１は、受光部５において受光した信号や、制御装置２から送信された情報などを蓄積するデータ蓄積部２２を備えていることを特徴とする。
これにより、制御部３から受信した信号を、一度、データ蓄積部２２に格納し、解析を行うことにより、莫大な信号量から解析を行う必要のある情報の解析が可能となり、更に、解析できる情報量を増加させることが可能となる。
加えて、制御装置２から送信された情報を蓄積することにより、このマウス２１を記憶装置としても使用することが可能となる。
更にまた、マウス２１が制御装置２に接続していない場合において、制御部３はマウス操作情報解析部１１又は多種情報解析部１２から送信された解析情報をデータ蓄積部２２に格納することにより、制御装置２のない環境でも一時保存ができることで汎用性を高めることが可能となる。
また、データ蓄積部２２をメモリカード２３及びメモリカード挿入部２４によって構成することにより、生産しやすく、比較的安価なマウス２１を提供することが可能となる。
加えて、データ蓄積部２２をメモリカード２３及びメモリカード挿入部２４によって構成することにより、別のメモリカード２３との交換が可能であり、メモリカード２３を取り出し、別の制御装置２に挿入し、内部に保存された情報を取り出すことが可能となる。
【００２４】
なお、この発明は上述実施例１又は実施例２に限定されるものではなく、種々の応用改変が可能である。
例えば、この発明の実施例１及び実施例２においては、多種情報解析部１２はバーコード情報解析部１５及び、その他情報解析部１６を有する構成としたが、バーコード情報解析部１６を省くという特別構成とすることも可能である。
さすれば、該マウスの内部にバーコード情報解析部を組み込む必要がなくなるため、より低廉なマウスを提供することが可能となる。
【００２５】
或いは、この発明の実施例１及び実施例２においては、該マウスの接続する制御装置はパーソナルコンピュータやタブレット端末であるものとしたが、制御装置をマウスでの操作が可能なドローンとする構成も可能である。
また、制御装置を無線ルータなどとする構成も可能である。
さすれば、無線ルータのネットワーク環境下において、このマウスが取得し、解析した情報をインターネットを経由してクラウドに蓄積する（ＩｏＴ：Ｉｎｔｅｒｎｅｔ  ｏｆ  Ｔｈｉｎｇｓ）ことが可能となる。
【符号の説明】
【００２６】
１  多種情報解析機能を有するマウス
２  制御装置
３  制御部
４  発光部
５  受光部
６  左スイッチ
７  右スイッチ
８  ホイール
９  ホイールスイッチ
１０  スキャンスイッチ
１１  マウス操作情報解析部
１２  多種情報解析部
１３  通信部
１４  判断部
１５  バーコード情報解析部
１６  その他情報解析部
１７  カード
１８  カード挿入部
２２  データ蓄積部
２３  メモリカード
２４  メモリカード挿入部
２５  判断部
【図１】
2018136601.tif 000003
【図２】
2018136601.tif 000004
【図３】
2018136601.tif 000005
【図４】
2018136601.tif 000006
【図５】
2018136601.tif 000007